(57)【要約】【課題】金属板を折曲加工してなる側板と背板とが、堅固にかつ隙間を生じることなく接合された金属製キャビネットを実現する。【解決手段】ステンレス板で側板１０と背板２０とを形成する。側板１０の収納空間形成面１１の後端縁をキャビネット２外方に向けて折曲して後側小口面１５を形成し、背板２０の収納空間形成面２１の右端縁に前記側板１０の収納空間形成面１１と後側小口面１５との間の角部に重ね合わされる基端面２８と先端面２９とでなる平面視Ｌ字状の右側接合面部２５を設ける。そして、側板１０の角部を形成する二面１１，１５と背板２０の基端面２８及び先端面２９とをそれぞれ重ね合わせた状態で、各対応する面同士を接合する。【選択図】図８
2008073283.tif 000002
【特許請求の範囲】
【請求項１】
少なくとも金属板で形成された左右一対の側板と、金属板で形成されて前記側板の後端部を連結する背板とを有し、これらの部材を用いて収納空間が形成された金属製キャビネットであって、
前記側板における収納空間形成面の後端縁または背板における収納空間形成面の左右両端縁の一方は、キャビネット外方に向けて折曲されて小口面が形成されていると共に、
該小口面に近接する他方の部材の端縁には、小口面が形成された一方の部材における該小口面と収納空間形成面との間の角部に重ね合わされる基端面と先端面とでなる平面視Ｌ字状の接合面部が設けられており、かつ、
前記一方の部材の角部を形成する二面と前記他方の部材の基端面及び先端面とがそれぞれ重ね合わされた状態で、各対応する面同士が接合されていることを特徴とする金属製キャビネット。
【請求項２】
前記請求項１に記載の金属製キャビネットにおいて、
前記側板と背板の少なくとも一方の部材の収納空間形成面における少なくとも上端縁または下端縁には、キャビネット外方に向けて折曲されてなるフランジ面が形成されていることを特徴とする金属製キャビネット。
【請求項３】
前記請求項２に記載の金属製キャビネットにおいて、
前記フランジ面の端部は、前記一方の部材の小口面の端部または基端面の端部に近接して形成されており、かつ、
この近接した端部同士が、接合されていることを特徴とする金属製キャビネット。
【発明の詳細な説明】
【技術分野】
【０００１】
本発明は、金属板で形成された側板と背板とを有する金属製キャビネットに関し、キッチン家具の技術分野に属する。
【背景技術】
【０００２】
従来、キッチンに設置されるキャビネットとして、耐久性や高級感等を付与するため、ステンレス板のような金属板で構成されるものがある。例えば特許文献１には、金属板を折曲加工によりパネル状に形成した部材をビス等の固定部材で接合してなる金属製キャビネットが開示されている。
【０００３】
前記技術に基づけば、例えば図１０に示すような「側板勝ち構造」の場合、収納空間Ｓを形成する左右一対の側板Ａ（右側のみ図示）と側板Ａの後端部を連結する背板Ｂとは、比較的薄手の金属板を折曲加工することにより形成されており、それぞれ上下に延びる大面積の収納空間形成面Ａ１，Ｂ１、収納空間形成面Ａ１，Ｂ１の上下両端縁からキャビネット外方に向けて折曲された上側フランジ面Ａ２，Ｂ２及び下側フランジ面Ａ３，Ｂ３、側板Ａの収納空間形成面Ａ１の後端縁からキャビネット外方に向けて折曲された小口面Ａ４及び背板Ｂの収納空間形成面Ｂ１の左右両端縁からキャビネット外方に向けて折曲された小口面Ｂ４（右側のみ図示）を有している。そして、側板Ａと背板Ｂとは、背板Ｂの小口面Ｂ４が側板Ａの収納空間形成面Ａ１の後端側に突き合わされた状態で、ビスＣで接合されている。
【０００４】
【特許文献１】実公昭５５−４５７８８号公報
【発明の開示】
【発明が解決しようとする課題】
【０００５】
ところで、例えば前述したような金属製キャビネットの場合、背板Ｂの小口面Ｂ４と側板Ａの収納空間形成面Ａ１の後端側との突合箇所をビスＣで接合する構造であるため、例えば接合箇所の前方側で側板Ａに矢印ｘ方向の外力が加わると、側板Ａは同方向に撓み易くなることがある。
【０００６】
その結果、使用中に接合箇所が緩んで側板Ａと背板Ｂとの間に隙間Ｇが生じ易くなり、隙間Ｇからほこりや虫等がキャビネット内に侵入するおそれがある。また、例えばアイランドタイプのキャビネットであると、扉を開けたときに外部の光が隙間Ｇを通してキャビネット内に漏れて、高級感が損なわれるようになる。なお、説明を省略するが、「背板勝ち構造」の金属製キャビネットの場合でも同様である。
【０００７】
そこで、本発明は、金属板を折曲加工してなる側板と背板とが、堅固にかつ隙間を生じることなく接合された金属製キャビネットの実現を課題とする。
【課題を解決するための手段】
【０００８】
前記課題を解決するため、本発明は次のように構成したことを特徴とする。
【０００９】
まず、請求項１に記載の発明は、少なくとも金属板で形成された左右一対の側板と、金属板で形成されて前記側板の後端部を連結する背板とを有し、これらの部材を用いて収納空間が形成された金属製キャビネットであって、前記側板における収納空間形成面の後端縁または背板における収納空間形成面の左右両端縁の一方は、キャビネット外方に向けて折曲されて小口面が形成されていると共に、該小口面に近接する他方の部材の端縁には、小口面が形成された一方の部材における該小口面と収納空間形成面との間の角部に重ね合わされる基端面と先端面とでなる平面視Ｌ字状の接合面部が設けられており、かつ、前記一方の部材の角部を形成する二面と前記他方の部材の基端面及び先端面とがそれぞれ重ね合わされた状態で、各対応する面同士が接合されていることを特徴とする。
【００１０】
また、請求項２に記載の発明は、前記請求項１に記載の金属製キャビネットにおいて、前記側板と背板の少なくとも一方の部材の収納空間形成面における少なくとも上端縁または下端縁には、キャビネット外方に向けて折曲されてなるフランジ面が形成されていることを特徴とする。
【００１１】
そして、請求項３に記載の発明は、前記請求項２に記載の金属製キャビネットにおいて、前記フランジ面の端部は、前記一方の部材の小口面の端部または基端面の端部に近接して形成されており、かつ、この近接した端部同士が、接合されていることを特徴とする。
【発明の効果】
【００１２】
まず、請求項１に記載の発明によれば、いずれも金属板を折曲加工して成形された側板と背板との接合に際し、一方の部材の収納空間形成面と他方の部材の接合面部の基端面とが接合されていると共に、一方の部材の小口面と他方の部材の接合面部の先端面とが接合されているので、側板と背板とは直交する二方向から接合されていることになる。したがって、従来の接合構造とは相違して、側板と背板とが堅固に接合される。
【００１３】
さらに、一方の部材の角部を形成する収納空間形成面と小口面とは他方の部材に形成されたＬ字状接合面部の基端面と先端面とで覆われることになるので、つまり、「側板勝ち構造」の場合には、「側板勝ち構造」でありながら側板の小口面は背板の接合面部の基端面から延びる先端面で覆われ、一方、「背板勝ち構造」の場合には、「背板勝ち構造」でありながら背板の小口面は側板の接合面部の基端面から延びる先端面で覆われるので、前述した堅固な接合構造も相俟って、外部からほこり、虫、光等が侵入する隙間は生じなくなる。
【００１４】
また、請求項２に記載の発明によれば、側板または背板には収納空間形成面から延びるフランジ面が形成されているので、剛性が確実に付与され、もって堅固な接合構造の実現に寄与するようになる。
【００１５】
そして、請求項３に記載の発明によれば、側板または背板に設けられたフランジ面の端部と小口面の端部または基端面の端部とは近接して形成されており、この近接する端部同士が接合されているので、剛性が一層確実に付与され、もって一層堅固な接合構造の実現に寄与するようになる。
【発明を実施するための最良の形態】
【００１６】
以下、本発明の実施の形態について説明する。
【００１７】
図１に示すシステムキッチン１は、本発明に係る金属製キャビネット２を組み込んだもので、このキャビネット２の左右両側に同様の金属製キャビネット３，４が連設された構成とされている。そして、前記キャビネット２は、左右一対の側板１０，１０と、両側板１０，１０の後端部間に配設された背板２０と、両側板１０，１０の下端部間に配設された底板３０とを有し、両側板１０，１０が背板２０の左右の小口面を覆う「側板勝ち構造」に属するものである。
【００１８】
また、このキャビネット２は、上面と前面とが開放されており、上面は図示しない天板で覆われると共に、側板１０，１０と背板２０と底板３０とで形成される収納空間Ｓには図示しない引き出しが収容されるようになっている。なお、底板３０は、以下に詳述する側板１０と略同様の構成であるため、説明を省略する。
【００１９】
まず、図２〜４に示すように、側板１０は、厚み０．５ｍｍの一枚のステンレス板を折曲加工してパネル状に形成したもので、収納空間Ｓを形成する上下前後に延びる大面積の収納空間形成面１１と、収納空間形成面１１の上下両端縁からキャビネット２外方に向けて折曲された上側及び下側フランジ面１２，１３と、収納空間形成面１１の前後両端縁から同じくキャビネット２外方に向けて折曲された前側及び後側小口面１４，１５とを有している。
【００２０】
また、上側フランジ面１２、下側フランジ面１３、及び後側小口面１５の先端は、さらに収納空間形成面１１に対向するように折曲されて補強面１２ａ，１３ａ，１５ａが形成されている。そして、補強面１２ａ，１３ａ，１５ａ及び前側小口面１４の先端は、いずれもヘミング加工を施されている。なお、前記補強面１２ａ，１３ａ，１５ａは、側板１０の剛性向上に寄与する。
【００２１】
また、上側及び下側フランジ面１２，１３の前後両端部は、それぞれ前側及び後側小口面１４，１５の上下両端部に近接するように形成されており、上側及び下側フランジ面１２，１３の端部と前側及び後側小口面１４，１５の端部とは、符号Ｗで示すように点溶接されている（図３、４参照）。さらに、上側及び下側フランジ面１２，１３の補強面１２ａ，１３ａの前端部と前側小口面１４の端部とは、符号Ｗで示すように点溶接されている（図２参照）。そして、互いに斜めにカットされた上側及び下側フランジ面１２，１３の補強面１２ａ，１３ａの後端部と後側小口面１５の補強面１５ａの上下端部とも、符号Ｗで示すように点溶接されている（図２参照）。
【００２２】
また、この側板１０と後述する背板２０とを接合するため、側板１０の収納空間形成面１１の後端側に、上下方向一列に所定間隔を置いて複数のビス用下孔１１ａ…１１ａ（図２に２個、図３及び図４に１個示す）が設けられており、ビス４１…４１で側板１０と背板２０とを接合可能とされている。さらに、後側小口面１５にも、上下方向一列に所定間隔を置いて複数のビス用下孔１５ｂ…１５ｂ（図３及び図４に１個示す）が設けられており、ビス４２…４２で側板１０と背板２０とを接合可能とされている。
【００２３】
次に、図５〜７に示すように、背板２０は、同じく厚み０．５ｍｍの一枚のステンレス板を折曲加工してパネル状に形成したもので、収納空間Ｓを形成する上下左右に延びる大面積の収納空間形成面２１と、収納空間形成面２１の上下両端縁からキャビネット２外方に向けて折曲された上側及び下側フランジ面２２，２３と、収納空間形成面２１の左右両端縁から同じくキャビネット２外方に向けて平面視Ｌ字状に折曲された左側及び右側接合面部２４，２５とを有している。
【００２４】
また、左側及び右側接合面部２４，２５は、収納空間形成面２１からキャビネット２外方に向けて延びる基端面２６，２８と、基端面２６，２８から収納空間形成面２１に対して平行に延びる先端面２７，２９とを有している。その場合、先端面２７，２９の左右方向の寸法は、前記側板１０の後側小口面１２の左右方向の寸法に略一致している。
【００２５】
また、上側フランジ面２２及び下側フランジ面２３の先端は、さらに収納空間形成面２１に対向するように折曲されて補強面２２ａ，２３ａが形成されている。そして、補強面２２ａ，２３ａ及び先端面２７，２９の先端は、いずれもヘミング加工を施されている。なお、前記補強面２２ａ，２３ａは、背板２０の剛性向上に寄与する。
【００２６】
また、上側及び下側フランジ面２２，２３の左右両端部は、それぞれ左側及び右側接合面部２４，２５の基端面２６，２８の端部に近接するように形成されており、上側及び下側フランジ面２２，２３の端部と左側及び右側接合面部２４，２５の基端面２６，２８の端部とは、符号Ｗで示すように点溶接されている（図６、７参照）。さらに、上側及び下側フランジ面２２，２３の補強面２２ａ，２３ａの左右両端部と左側及び右側接合面部２４，２５の角部とも、符号Ｗで示すように点溶接されている（図５参照）。
【００２７】
また、この背板２０と前述した側板１０とを接合するため、背板２０の左側及び右側接合面部２４，２５の基端面２６，２８に、上下方向一列に所定間隔を置いて複数のビス用下孔２６ａ…２６ａ，２８ａ…２８ａ（図６に１個、図７に各１個示す）が設けられており、前記ビス４１…４１で側板１０と背板２０とを接合可能とされている。さらに、両先端面２７，２９にも、上下方向一列に所定間隔を置いて複数のビス用下孔２７ａ…２７ａ，２９ａ…２９ａ（図５に各３個、図４に１個のみ示す）が設けられており、前記ビス４２…４２で側板１０と背板２０とを接合可能とされている。
【００２８】
ここで、図８を用いて、このシステムキッチン１に組み込まれた金属製キャビネット２において収納空間Ｓを形成する側板１０と背板２０との接合手順の一例について説明する。便宜上、前記キャビネット２の右側かつ後側の接合箇所について説明する。なお、このキャビネット２の右側には、別なる金属製キャビネット４が連設されている。
【００２９】
すなわち、側板１０の収納空間形成面１１の後端側と背板２０の収納空間形成面２１から延びる右側接合面部２５の基端面２８とが重ね合わされると共に、側板１０の後側小口面１５と背板２０の右側接合面部２５の先端面２９とが重ね合わされる。その状態で、対応する側板１０の収納空間形成面１１の下孔１１ａ…１１ａと背板２０の基端面２８の下孔２８ａ…２８ａとを介し、ビス４１…４１で側板１０と背板２０とが接合される。一方、対応する側板１０の後側小口面１５の下孔１５ｂ…１５ｂと背板２０の先端面２９の下孔２９ａ…２９ａとを介し、ビス４２…４２で側板１０と背板２０とが接合される。なお、説明を省略するが、キャビネット２の左側かつ後側の接合箇所においても事情は同じである。
【００３０】
以上のように構成したことにより、まず、いずれもステンレス板を折曲加工して成形された側板１０，１０と背板２０との接合に際し、側板１０，１０の収納空間形成面１１，１１と背板２０の接合面部２４，２５の基端面２６，２８とが接合されていると共に、側板１０，１０の後側小口面１５，１５と背板２０の接合面部２４，２５の先端面２７，２９とが接合されているので、各側板１０と背板２０とは直交する二方向から接合されていることになる。したがって、従来の接合構造とは相違して、側板１０と背板２０とが堅固に接合される。
【００３１】
さらに、側板１０の角部を形成する収納空間形成面１１と後側小口面１５とは背板２０に形成されたＬ字状接合面部２４，２５の基端面２６，２８と先端面２７，２９とで覆われることになるので、「側板勝ち構造」でありながら側板１０の後側小口面１５は背板２０の接合面部２４，２５の基端面２６，２８から延びる先端面２７，２９で覆われるので、前述した堅固な接合構造も相俟って、外部からほこり、虫、光等が侵入する隙間は生じなくなる。
【００３２】
また、側板１０及び背板２０には収納空間形成面１１，２１から延びるフランジ面１２，１３，２２，２３が形成されているので、剛性が確実に付与され、もって堅固な接合構造の実現に寄与するようになる。
【００３３】
そして、側板１０に設けられた上側及び下側フランジ面１２，１３の端部と前側及び後側小口面１４，１５の端部とは近接して形成されており、また、背板２０に設けられた上側及び下側フランジ面２２，２３の端部と左側及び右側接合面部２４，２５の基端面２６，２８の端部とは近接して形成されており、この近接する端部同士が接合されているので、剛性が一層確実に付与され、もって一層堅固な接合構造の実現に寄与するようになる。
【００３４】
次に、本発明の他の実施の形態について説明する。この場合のステンレス板を用いて成形された金属製キャビネットは、背板が側板の小口面を覆う「背板勝ち構造」に属するものである。
【００３５】
図９に示すように、この場合のシステムキッチン１′には、前記金属製キャビネット２′が組み込まれており、また、このキャビネット２′の右側に、別なる金属製キャビネット４′が連設されている。以下、便宜上、前記キャビネット２の右側かつ後側の接合箇所について説明する。
【００３６】
すなわち、収納空間Ｓを形成するための背板２０′の収納空間形成面２１′の右端縁は、キャビネット２′外方に向けて折曲されて右側小口面２８′が形成されている。一方、同じく収納空間Ｓを形成するための右側側板１０の収納空間形成面１１′の後端縁は、キャビネット２′外方に向けて平面視Ｌ字状に折曲されて右側接合面部１５′が形成されている。また、この右側接合面部１５′は、基端面１８′と先端面１９′とを有している。
【００３７】
そして、側板１０′と背板２０′との接合に際し、側板１０′の右側接合面１５′の基端面１８′と背板２０′の収納空間形成面２１′の右端側とが重ね合わされると共に、側板１０′の右側接合面部１５′の先端面１９′と背板２０′の右側小口面２８′とが重ね合わされるように配置される。その状態で、ビス４１…４１，４２…４２で側板１０′と背板２０′とが接合される。なお、説明を省略するが、キャビネット２′の左側かつ後側の接合箇所についても事情は同じである。
【００３８】
以上のように構成したことにより、この場合にも前記実施の形態におけると同様の作用効果が得られ、側板１０′と背板２０′とは直交する二方向から接合されていることになり、従来の接合構造とは相違して、側板１０′と背板２０′とが堅固に接合される。
【００３９】
そして、「背板勝ち構造」でありながら背板２０′の右側小口面２８′は側板１０′の接合面部１５′の基端面１８′から延びる先端面１９′で覆われるので、堅固な接合構造も相俟って、外部からほこり、虫、光等が侵入する隙間は生じなくなる。
【００４０】
なお、本発明は、具体的に詳述した前記実施の形態に限定されることはなく、本発明の趣旨に沿うものであればよい。
【００４１】
例えば、前記実施の形態では、側板１０の前側小口面１４には補強面が設けられていなかったが、これを設けてもよい。
【００４２】
そして、前記実施の形態では、側板１０，１０′、側板２０，２０′、及び底板３０は、ステンレス板を用いて形成されていたが、メッキ鋼板や塗装鋼板等で形成してもよい。
【産業上の利用可能性】
【００４３】
以上説明したように、本発明によれば、金属板を折曲加工してなる側板と背板とが、堅固にかつ隙間を生じることなく接合された金属製キャビネットが実現される。すなわち、本発明は、キッチン家具の技術分野に広く好適である。
【図面の簡単な説明】
【００４４】
【図１】本発明の実施の形態に係るシステムキッチンに組み込まれた金属製キャビネットの概略斜視図である。
【図２】右側側板単体の一部を省略した右側面図である。
【図３】同じく一部を省略及び破断した拡大正面図である。
【図４】同じく一部を省略及び破断した拡大平面図である。
【図５】背板単体の一部を省略した背面図である。
【図６】同じく一部を省略及び破断した拡大右側面図である。
【図７】同じく一部を省略及び破断した拡大平面図である。
【図８】接合構造を示す一部を破断した要部平面図である。
【図９】他の実施の形態に係るシステムキッチンに組み込まれた金属製キャビネットの一部を破断した図８に相当する要部平面図である。
【図１０】従来の金属製キャビネットの構造を示す一部を破断した要部平面図である。
【符号の説明】
【００４５】
２，２′        金属製キャビネット
１０，１０′    側板
１１，１１′    収納空間形成面
１２，１３      フランジ面
１５      小口面
１５′    接合面部
１８′    基端面
１９′    先端面
２０，２０′    背板
２１，２１′    収納空間形成面
２２，２３      フランジ面
２４，２５      接合面部
２６，２８      基端面
２７，２９      先端面
２８′    小口面
Ｓ        収納空間
【図１】
2008073283.tif 000003
【図２】
2008073283.tif 000004
【図３】
2008073283.tif 000005
【図４】
2008073283.tif 000006
【図５】
2008073283.tif 000007
【図６】
2008073283.tif 000008
【図７】
2008073283.tif 000009
【図８】
2008073283.tif 000010
【図９】
2008073283.tif 000011
【図１０】
2008073283.tif 000012